(57)【要約】【課題】テールコードの振動を適切に制動させることができ、かつ通常走行時に主ロープ等が昇降路の壁面に引掛ったりすることはない。【解決手段】エレベータ装置１０は昇降路１内を昇降する乗りかご２と、乗りかご２に連結されるとともに昇降路１の壁面３に固定されたテールコード４とを備えている。テールコード４に磁性体金属５が取付けられ、壁面３にテールコード４の磁性体金属５を吸着する電磁石６が設けられている。長周期振動感知器２１が長周期振動を感知すると、制御部２０が電磁石６を作動させて、磁性体金属５が電磁石６に吸着されて、テールコード４を昇降路１の壁面２に固定する。【選択図】図１
2014172725.tif 000002
【特許請求の範囲】
【請求項１】
昇降路内を昇降する乗りかごと、
一端が乗りかごに連結されるとともに他端が昇降路の壁面に固定され、下方部にＵ字状部を有するテールコードとを備え、
テールコードの昇降路の壁面側に磁性体金属が取付けられ、
昇降路の壁面に、テールコードの磁性体金属を吸着する電磁石が設けられ、
長周期振動を感知する長周期振動感知器が設けられ、
長周期振動感知器からの感知信号に基づいて制御部により電磁石を作動させてテールコードを昇降路の壁面に吸着することを特徴とするエレベータ装置。
【請求項２】
昇降路内を昇降する乗りかごと、
一端が乗りかごに連結されるとともに他端が昇降路の壁面に固定され、下方部にＵ字状部を有するテールコードとを備え、
テールコードの昇降路の壁面側に磁性体金属が取付けられ、
昇降路の壁面に、テールコードの磁性体金属を吸着する電磁石が設けられ、
制御部は通常走行時に乗りかごを停止した場合、電磁石を作動させてテールコードを昇降路の壁面に吸着することを特徴とするエレベータ装置。
【請求項３】
昇降路内を昇降する乗りかごと、
一端が乗りかごに連結されるとともに他端が昇降路の壁面に固定され、下方部にＵ字状部を有するテールコードとを備え、
昇降路の壁面に、テールコードに当接する緩衝材が設けられ、
テールコードが緩衝材に当接して、テールコードと緩衝材との間に摩擦力を生じさせることを特徴とするエレベータ装置。
【請求項４】
テールコードのうち緩衝材側の面に突起物が設けられ、この突起物により緩衝材との摩擦力をより高めることを特徴とする請求項３記載のエレベータ装置。
【請求項５】
昇降路内を昇降する乗りかごと、
一端が乗りかごに連結されるとともに他端が昇降路の壁面に固定され、下方部にＵ字状部を有するテールコードとを備え、
テールコードの昇降路の壁面側に突起物が設けられ、
昇降路の壁面とテールコードとの間に、テールコードの突起物に係合する金網が設けられていることを特徴とするエレベータ装置。
【発明の詳細な説明】
【技術分野】
【０００１】
本発明はエレベータ装置に係り、とりわけテールコードを有するエレベータ装置に関する。
【背景技術】
【０００２】
従来のエレベータ装置では、昇降路内を移動する乗りかごに電気や信号を伝達するテールコードが１本以上設けられている。テールコードの一端は昇降路中部の壁に設置された中継ボックスに接続されているか、または昇降路上部にある機械室から直接垂らされ、昇降時に動かない中間地点までは壁もしくはレールに取り付けられたテールコード固定腕によって固定される。そしてテールコードはその他端が乗りかごに固定されて、下端にＵ字形をなして昇降路内に垂下している。昇降路中央から乗りかごまでのテールコードは、乗りかごと共に上下動するため、固定することが出来ず、その揺れを制御できない。
【０００３】
そのため、テールコードが地震や強風によって発生する長周期振動と共振することで、レールブラケット等の昇降路用品に引っかかって断線する不具合が多発している。
【０００４】
これを防止するために昇降路とテールコードが磁力によって相互に引き合うような装置を取り付け、テールコードを昇降路壁に固定する方法が開発されている。しかしながら、磁力によって引き合うため、テールコードが昇降路壁から離れる際に発生している磁力が振動の原因となってしまう可能性がある。また、昇降路壁が水平方向に振動した場合に、振動を抑える目的の制振装置を昇降路壁に所定の間隔で取り付ける方法がある。しかしながらテールコードの制振にはなるが、昇降路壁に突起物があることで、ロープ等他の用品が引っかかる要因になる。
【先行技術文献】
【特許文献】
【０００５】
【特許文献１】特開平５−２５４７５７
【特許文献２】特開平６−３２１４５７
【特許文献３】特開平６−２３４４８１
【発明の概要】
【発明が解決しようとする課題】
【０００６】
本発明はこのような点を考慮してなされたものであり、テールコードを適切に制振させることができるとともに、通常走行時に主ロープ等が昇降路に引掛ったりすることのないエレベータ装置を提供することを目的とする。
【課題を解決するための手段】
【０００７】
本発明は、昇降路内を昇降する乗りかごと、一端が乗りかごに連結されるとともに他端が昇降路の壁面に固定され、下方部にＵ字状部を有するテールコードとを備え、テールコードの昇降路の壁面側に磁性体金属が取付けられ、昇降路の壁面に、テールコードの磁性体金属を吸着する電磁石が設けられ、長周期振動を感知する長周期振動感知器が設けられ、長周期振動感知器からの感知信号に基づいて制御部により電磁石を作動させてテールコードを昇降路の壁面に吸着することを特徴とするエレベータ装置である。
【０００８】
本発明は、昇降路内を昇降する乗りかごと、一端が乗りかごに連結されるとともに他端が昇降路の壁面に固定され、下方部にＵ字状部を有するテールコードとを備え、テールコードの昇降路の壁面側に磁性体金属が取付けられ、昇降路の壁面に、テールコードの磁性体金属を吸着する電磁石が設けられ、制御部は通常走行時に乗りかごを停止した場合、電磁石を作動させてテールコードを昇降路の壁面に吸着することを特徴とするエレベータ装置である。
【０００９】
本発明は、昇降路内を昇降する乗りかごと、一端が乗りかごに連結されるとともに他端が昇降路の壁面に固定され、下方部にＵ字状部を有するテールコードとを備え、昇降路の壁面に、テールコードに当接する緩衝材が設けられ、テールコードが緩衝材に当接して、テールコードと緩衝材との間に摩擦力を生じさせることを特徴とするエレベータ装置である。
【００１０】
本発明は、テールコードのうち緩衝材側の面に突起物が設けられ、この突起物により緩衝材との摩擦力をより高めることを特徴とするエレベータ装置である。
【００１１】
本発明は、昇降路内を昇降する乗りかごと、一端が乗りかごに連結されるとともに他端が昇降路の壁面に固定され、下方部にＵ字状部を有するテールコードとを備え、テールコードの昇降路の壁面側に突起物が設けられ、昇降路の壁面とテールコードとの間に、テールコードの突起物に係合する金網が設けられていることを特徴とするエレベータ装置である。
【発明の効果】
【００１２】
以上のように本発明によれば、テールコードの振動を適切に制動させることができるとともに、通常走行時に主ロープ等が昇降路の壁面に引掛ったりすることがない。
【図面の簡単な説明】
【００１３】
【図１】図１は本発明によるエレベータ装置の第１の実施の形態を示す図。
【図２】図２は本発明によるエレベータ装置のフローチャート。
【図３】図３は本発明によるエレベータ装置の第２の実施の形態を示すフローチャート。
【図４】図４は本発明によるエレベータ装置の第３の実施の形態を示す図。
【図５】図５は図４のＡ線方向矢視図。
【図６】図６は本発明によるエレベータ装置の第４の実施の形態を示す図。
【図７】図７は本発明によるエレベータ装置の第５の実施の形態を示す図。
【図８】図８は図７のＢ部拡大図。
【発明の実施の形態】
【００１４】
第１の実施の形態
以下、図面を参照して本発明の第１の実施の形態について説明する。図１および図２は本発明によるエレベータ装置の第１の実施の形態を示す図である。
【００１５】
図１および図２において、エレベータ装置１０は昇降路１内を昇降する乗りかご２と、乗りかご２に連結されたテールコード４とを備えている。
【００１６】
このうち、乗りかご２は主ロープ７および駆動シーブ１２を介して巻上機１３により駆動されて昇降路１内を昇降する。またテールコード４はその一端が乗りかご２に連結され、他端は昇降路１の壁面３に固定され、下方部にＵ字状部４ａが形成されている。
【００１７】
またテールコード４のうち、昇降路１の壁面３に向う面に磁性体金属５が取付けられている。さらに昇降路１の壁面３にはテールコード４の磁性体金属５を吸着する電磁石６が埋め込まれている。
【００１８】
さらにまた巻上機１３は、制御部２０により駆動制御される。
【００１９】
次にこのような構成からなる実施の形態の作用について図１および図２により説明する。
【００２０】
まず通常運転時には制御部２０により巻上機１３が駆動制御されて、昇降路１内を乗りかご２が昇降する。通常運転時には電磁石６は通電することなく作動していない。
【００２１】
遠方で発生した地震や強風が発生すると、長周期振動を長周期振動感知器２１が感知し、長周期振動制御運動が開始される。この場合、ルーチンに従って乗りかご２の移動が停止した時に、制御部２０は電磁石６に通電し磁力によってテールコード４の磁性体金属５を昇降路１の壁面３に引き寄せ固定する。振れがおさまる程度の一定時間経過後、制御部２０は電磁石６への通電を停止し、その後長周期振動制御運転から通常運転への再開ルーチンに戻る。
【００２２】
本実施の形態によれば、地震や強風が生じ長周期振動感知器２１が長周期振動を感知した場合に、制御部２０により電磁石６を通電して作動させてテールコード４を昇降路１の壁面３に固定することができる。このためテールコード４を昇降路１の壁面３に水平方向および垂直方向の双方に対して固定することができる。また長周期振動感知器２１が長周期振動を感知して始めて電磁石６が作動するので、長周期振動感知器２１が作動しない限り、テールコード４が昇降路１の壁面３に固定されることはなく、通常運転時に乗りかご２の昇降運動に支障が生じることはない。
【００２３】
第２の実施の形態
次に本発明の第２の実施の形態について図１および図３により説明する。図１および図３に示す第２の実施の形態は、制御部２０による制御フローが異なるのみであり、他の構成は図１に示す第１の実施の形態と略同一である。
【００２４】
図３に示すように通常走行時に乗りかご２が停止した後、制御部２０は電磁石６に通電しテールコード４が昇降路１の壁面３に固定される。乗りかご停止状態でそのまま一定時間経過した場合、制御部２０は電磁石６への通電を停止させ、その後通常走行ルーチンに戻る。一定時間経過しないうちに乗りかご２の走行が開始される場合は、走行開始前に制御部２０は電磁石６への通電を停止し、テールコード４と昇降路１の壁面３の固定状態を解除したうえで走行を開始し、通常走行ルーチンに復帰する。このように乗りかご２の停止状態時のみ昇降路１の壁面３にテールコード４を固定することで、通常走行時に磁力の影響でテールコード４が振動することを防ぐことができる。
【００２５】
第３の実施の形態
以下、図面を参照して本発明の第３の実施の形態について説明する。図４乃至図６は本発明によるエレベータ装置の第３の実施の形態を示す図である。
【００２６】
図４乃至図６において、エレベータ装置１０は昇降路１内を昇降する乗りかご２と、乗りかご２に連結されたテールコード４とを備えている。
【００２７】
このうち、乗りかご２は主ロープ７および駆動シーブ１２を介して巻上機１３により駆動されて昇降路１内を昇降する。またテールコード４はその一端が乗りかご２に連結され、他端は昇降路１の壁面３に固定され、下方部にＵ字状部４ａが形成されている。
【００２８】
また図４および図５に示すように、昇降路１の壁面３に、テールコード４に当接する緩衝材８が設けられている。この緩衝材８は、スポンジ等からなり、テールコード４より軟質の材料からなっている。
【００２９】
また図５に示すように、緩衝材８は上方からみて台形状をなし、例えば主ロープ７が誤って当接しても主ロープ７は緩衝材８に引掛ることはない。図５において、テールコード４は緩衝材８の略中央部において当接し、テールコード４は緩衝材８との摩擦力に、よりとりわけ水平方向に制動される。
【００３０】
図４および図５において、通常運転時にテールコード４はその自重により緩衝材８に当接し、テールコード４と緩衝材８との間の摩擦力によりテールコード４は、とりわけ水平方向の振動が制動される。
【００３１】
また昇降路１の壁面３に対してテールコード４が垂直方向に振動した場合、テールコード４が昇降路１の壁面３に打ちつけられることも考えられる。このような場合でも、テールコード４を緩衝材８により柔軟に受けとめることができ、テールコード４の損傷を未然に防止することができる。
【００３２】
次に図６により第２の実施の形態の変形例について説明する。図６に示す変形例において、テールコード４の昇降路１の壁面３側の面に金属製の突起物９が設けられている。
【００３３】
図６において、テールコード４に突起物９を設けたことにより、テールコード４と緩衝材８との間の摩擦力をより高めることができる。テールコード４に設けられた突起物９は先端に平坦面を有している。また突起物９はくさび状の側断面をもつ。
【００３４】
このように突起物は先端に平坦面を有し、くさび状の側断面をもつため、テールコード４が緩衝材８に押し当てられる際、突起物９は緩衝材８を傷付けることなく、緩衝材８内に押し込まれる。
【００３５】
また突起物９が緩衝材８から垂直方向に沿って離脱する際、突起物９がくさび状の側断面をもつため突起物９が緩衝材８に引掛ることはない。
【００３６】
第４の実施の形態
以下、図面を参照して本発明の第４の実施の形態について説明する。図７および図８は本発明によるエレベータ装置の第４の実施の形態を示す図である。
【００３７】
図７および図８において、エレベータ装置１０は昇降路１内を昇降する乗りかご２と、乗りかご２に連結されたテールコード４とを備えている。
【００３８】
このうち、乗りかご２は主ロープ７および駆動シーブ１２を介して巻上機１３により駆動されて昇降路１内を昇降する。またテールコード４はその一端が乗りかご２に連結され、他端は昇降路１の壁面３に固定され、下方部にＵ字状部４ａが形成されている。
【００３９】
また、テールコード４の昇降路１の壁面３側の面に金属製の突起物９が設けられている。また昇降路１の壁面３とテールコード４との間にテールコード４の突起物９と係合する金網１１が設けられている。
【００４０】
図７および図８に示すように、金網１１は昇降路１の壁面３にアーム１１ａを介して取付けられている。
【００４１】
なお乗りかご２が昇降路１の壁面３に接近している場合、アーム１１ａを設けることなく金網１１を壁面３に直接取付けることができる。他方、乗りかご２が昇降路１の壁面３から離れている場合、壁面３に金網１１を比較的長いアーム１１ａを介して取付ける必要がある。
【００４２】
図４および図５において、通常運転時にテールコード４はその自重により金網１１に当接する。この場合、テールコード４の突起物９が金網１１に係合し、テールコード４はとりわけその水平方向の振動が制動される。
【００４３】
ここで、図８に示すように、テールコード４側の突起物９の形状は金網１１の網目間隔ｌよりかなり小さくなっている。このため通常運転時にテールコード４の突起物９がスムースに金網１１から離脱することができ、このことにより、金網１１とテールコード４の突起物９が係合しても、エレベータ装置の通常運転に支障が生じることはない。
【符号の説明】
【００４４】
１  昇降路
２  乗りかご
３  壁面
４  テールコード
５  磁性体金属
６  電磁石
７  主ロープ
８  緩衝材
９  突起物
１０  エレベータ装置
１１  金網
１１ａ  アーム
２０  制御部
２１  長周期振動感知器
【図１】
2014172725.tif 000003
【図２】
2014172725.tif 000004
【図３】
2014172725.tif 000005
【図４】
2014172725.tif 000006
【図５】
2014172725.tif 000007
【図６】
2014172725.tif 000008
【図７】
2014172725.tif 000009
【図８】
2014172725.tif 000010
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
昇降路内を昇降する乗りかごと、
一端が乗りかごに連結されるとともに他端が昇降路の壁面に固定され、下方部にＵ字状部を有するテールコードとを備え、
テールコードの昇降路の壁面側に磁性体金属が取付けられ、
昇降路の壁面に、テールコードの磁性体金属を吸着する電磁石が設けられ、
長周期振動を感知する長周期振動感知器が設けられ、
長周期振動感知器からの感知信号に基づいて制御部により電磁石を作動させてテールコードを昇降路の壁面に吸着し、振れがおさまる程度の一定時間経過後、電磁石への通電を停止する、ことを特徴とするエレベータ装置。
【請求項２】
昇降路内を昇降する乗りかごと、
一端が乗りかごに連結されるとともに他端が昇降路の壁面に固定され、下方部にＵ字状部を有するテールコードとを備え、
テールコードの昇降路の壁面側に磁性体金属が取付けられ、
昇降路の壁面に、テールコードの磁性体金属を吸着する電磁石が設けられ、
制御部は通常走行時に乗りかごを停止した場合、電磁石を作動させてテールコードを昇降路の壁面に吸着し、乗りかご停止状態でそのまま一定時間経過した場合、電磁石への通電を停止し、一定時間経過しないうちに乗りかごの走行が開始される場合、走行開始前に電磁石への通電を停止する、ことを特徴とするエレベータ装置。